(57)【要約】      （修正有）【課題】複数部数の印刷を的確かつ容易に行えるようにした印刷制御プログラムおよび印刷制御装置および印刷制御方法を提供する。【解決手段】クライアント端末１０から複数部数を指定した印刷依頼を行うと、プリントサーバ３０は、ＱＲコードがスタンプされた１部目の印刷物を出力するための印刷データを生成し、当該データをプリンタ２０に送信する。プリンタ２０は、ＱＲコードがスタンプされた印刷物の出力を行う。ユーザは、出力内容を確認し問題がなければ、携帯電話５０を用いてＱＲコードを読み取る。携帯電話５０は、このＱＲコードに埋め込まれた情報に基づいて公衆回線網等を経てプリントサーバ３０に２部目以降の出力の再開を指示する。プリントサーバ３０は、この再開指示とともに、２部目以降の印刷データを生成し、当該データをプリンタ２０へと送信する。プリンタ２０では、１部目同様に、２部目、３部目の印刷処理を開始する。【選択図】図１
2006338128.tif 000002
【特許請求の範囲】
【請求項１】
クライアント端末からの複数部数を指定した印刷依頼に基づいて印刷装置を制御して印刷物を出力する印刷制御処理をコンピュータに実行させる印刷制御プログラムであって、
前記複数部数を指定した印刷依頼の受け付けに際して、２部目以降の出力を保留状態に制御する第１のステップと、
前記２部目以降の出力を制御するための情報が埋め込まれたスタンプを生成する第２のステップと、
前記第２のステップで生成されたスタンプを付した１部目の印刷物の出力を指示する第３のステップと、
前記第３のステップでスタンプに埋め込まれた情報に基づいた２部目以降の出力に係わる指示を受信する第４のステップと、
前記第４のステップで受信した２部目以降の出力に係わる指示に基づいて２部目以降の印刷物の出力に係わる指示を行う第５のステップと
を含むことを特徴とする印刷制御プログラム。
【請求項２】
前記第４のステップは、
前記印刷物に付されたスタンプから読み取られた残り部数の出力を再開するための情報に基づいて残り部数の出力再開の指示を受信し、
前記第５のステップは、
前記第４のステップで受信した残り部数の出力再開の指示に基づき残り部数の出力を再開する
ことを特徴とする請求項１記載の印刷制御プログラム。
【請求項３】
前記第４のステップは、
前記スタンプから読み取られた残り部数の出力をキャンセルするための情報に基づいて残り部数の出力のキャンセルの指示を受信し、
前記第５のステップは、
前記第４のステップで受信した残り部数の出力のキャンセルの指示に基づき残り部数の出力をキャンセルする
ことを特徴とする請求項１記載の印刷制御プログラム。
【請求項４】
前記第２のステップは、
前記スタンプとして前記２部目以降の出力を制御するための情報が埋め込まれたＱＲコードを生成する
ことを特徴とする請求項１乃至３いずれかに記載の印刷制御プログラム。
【請求項５】
クライアント端末からの複数部数を指定した印刷依頼に基づいて印刷装置を制御して印刷物を出力する印刷制御装置において、
前記複数部数を指定した印刷依頼の受け付けに際して、２部目以降の出力を保留状態に制御する制御手段と、
前記２部目以降の出力を制御するための情報が埋め込まれたスタンプを生成するスタンプ情報生成手段と、
前記スタンプ情報生成手段で生成されたスタンプを付した１部目の印刷物の出力を指示する出力制御手段と、
前記出力制御手段でスタンプに埋め込まれた情報に基づいた２部目以降の出力に係わる指示を受信する受信手段と
を具備し、
前記出力制御手段は、
前記受信手段で受信した２部目以降の出力に係わる指示に基づいて２部目以降の印刷物の出力に係わる指示を行う
ことを特徴とする印刷制御装置。
【請求項６】
クライアント端末からの複数部数を指定した印刷依頼に基づいて印刷装置を制御して印刷物を出力する印刷制御方法において、
前記複数部数を指定した印刷依頼の受け付けに際して、２部目以降の出力を保留状態に制御手段で制御し、
前記２部目以降の出力を制御するための情報が埋め込まれたスタンプをスタンプ情報生成手段で生成し、
前記スタンプ情報生成手段で生成されたスタンプを付した１部目の印刷物の出力を出力制御手段で指示し、
前記出力制御手段でスタンプに埋め込まれた情報に基づいた２部目以降の出力に係わる指示を受信手段で受信し、
前記受信手段で受信した２部目以降の出力に係わる指示に基づいて２部目以降の印刷物の出力に係わる指示を前記出力制御手段で行う
ことを特徴とする印刷制御方法。
【発明の詳細な説明】
【技術分野】
【０００１】
本発明は、クライアント端末からの複数部数を指定した印刷依頼に基づいて印刷物を出力する印刷制御処理を実行する印刷制御プログラムおよび印刷制御装置および印刷制御方法に係わり、詳しくは、複数部数の印刷を的確かつ容易に行えるようにした印刷制御プログラムおよび印刷制御装置および印刷制御方法に関する。
【背景技術】
【０００２】
一般的に、複数のユーザが印刷を行うようなオフィス（企業、官公庁）、学校等においては、印刷サービスを利用するコンピュータ（以下、クライアント端末）と、クライアント端末に対して印刷サービスを提供するコンピュータ（以下、プリントサーバ）とにより、複数台のユーザでプリンタ等の印刷装置を共有して利用できる印刷環境が構築されている。
【０００３】
例えば、このような印刷環境において、印刷物を５部出力したい場合には、まず１部目だけを出力し、その出力内容を確認してから残りの４部を出力するという方法で印刷がなされる。
【０００４】
従来、この種の技術に関連したものとしては、例えば、特許文献１に記載されるように、複数部数の出力時には、１部目のみを出力し２部目以降を一時停止状態にして１部目の出力内容を確認した後、２部目以降の印刷を再開するという技術が知られている。
【０００５】
また、特許文献２に記載されるように、上記特許文献１の技術に加えて、２部目以降が一時停止状態の場合に、他のジョブの出力が停止しないようにするために、保留状態に遷移させ、他のジョブを優先して出力するという技術も知られている。
【特許文献１】特開平１０−２９１３５６号
【特許文献２】特開２００２−０３１９９０号
【発明の開示】
【発明が解決しようとする課題】
【０００６】
しかしながら、上記特許文献１や上記特許文献２の技術では、２部目以降のジョブを再開するにあたって、操作パネル等の操作部から該当のジョブを探し出しキャンセルまたは再開するといったユーザ操作を行う必要がある。
【０００７】
そのため、キューに溜まるジョブ数が増えるにしたがって、該当のジョブを発見するまでの時間が増加することとなり、その操作が煩雑となる。
【０００８】
また、ユーザが操作部を操作することによりジョブのキャンセル、ジョブの再開を指示するため、誤って他のジョブをキャンセルあるいは再開させてしまうといった誤操作が生じる可能性があった。さらに、上記特許文献２の発明では、自動的に保留状態に遷移させる機能が設けてあるが、このような制御によると、ユーザがキャンセルしない限り、キューにジョブが残ってしまうといった問題が発生する。
【０００９】
そこで、本発明は上記問題点に鑑みてなされたものであり、複数部数の印刷を的確かつ容易に行えるようにした印刷制御プログラムおよび印刷制御装置および印刷制御方法を提供することを目的とする。
【課題を解決するための手段】
【００１０】
上記目的を達成するため、請求項１の発明は、クライアント端末からの複数部数を指定した印刷依頼に基づいて印刷装置を制御して印刷物を出力する印刷制御処理をコンピュータに実行させる印刷制御プログラムであって、前記複数部数を指定した印刷依頼の受け付けに際して、２部目以降の出力を保留状態に制御する第１のステップと、前記２部目以降の出力を制御するための情報が埋め込まれたスタンプを生成する第２のステップと、前記第２のステップで生成されたスタンプを付した１部目の印刷物の出力を指示する第３のステップと、前記第３のステップでスタンプに埋め込まれた情報に基づいた２部目以降の出力に係わる指示を受信する第４のステップと、前記第４のステップで受信した２部目以降の出力に係わる指示に基づいて２部目以降の印刷物の出力に係わる指示を行う第５のステップとを含むことを特徴とする。
【００１１】
また、請求項２の発明は、請求項１の発明において、前記第４のステップは、前記印刷物に付されたスタンプから読み取られた残り部数の出力を再開するための情報に基づいて残り部数の出力再開の指示を受信し、前記第５のステップは、前記第４のステップで受信した残り部数の出力再開の指示に基づき残り部数の出力を再開することを特徴とする。
【００１２】
また、請求項３の発明は、請求項１の発明において、前記第４のステップは、前記スタンプから読み取られた残り部数の出力をキャンセルするための情報に基づいて残り部数の出力のキャンセルの指示を受信し、前記第５のステップは、前記第４のステップで受信した残り部数の出力のキャンセルの指示に基づき残り部数の出力をキャンセルすることを特徴とする。
【００１３】
また、請求項４の発明は、請求項１乃至３の発明において、前記第２のステップは、前記スタンプとして前記２部目以降の出力を制御するための情報が埋め込まれたＱＲコードを生成することを特徴とする。
【００１４】
また、請求項５の発明は、クライアント端末からの複数部数を指定した印刷依頼に基づいて印刷装置を制御して印刷物を出力する印刷制御装置において、前記複数部数を指定した印刷依頼の受け付けに際して、２部目以降の出力を保留状態に制御する制御手段と、前記２部目以降の出力を制御するための情報が埋め込まれたスタンプを生成するスタンプ情報生成手段と、前記スタンプ情報生成手段で生成されたスタンプを付した１部目の印刷物の出力を指示する出力制御手段と、前記出力制御手段でスタンプに埋め込まれた情報に基づいた２部目以降の出力に係わる指示を受信する受信手段とを具備し、前記出力制御手段は、前記受信手段で受信した２部目以降の出力に係わる指示に基づいて２部目以降の印刷物の出力に係わる指示を行うことを特徴とする。
【００１５】
また、請求項６の発明は、クライアント端末からの複数部数を指定した印刷依頼に基づいて印刷装置を制御して印刷物を出力する印刷制御方法において、前記複数部数を指定した印刷依頼の受け付けに際して、２部目以降の出力を保留状態に制御手段で制御し、前記２部目以降の出力を制御するための情報が埋め込まれたスタンプをスタンプ情報生成手段で生成し、前記スタンプ情報生成手段で生成されたスタンプを付した１部目の印刷物の出力を出力制御手段で指示し、前記出力制御手段でスタンプに埋め込まれた情報に基づいた２部目以降の出力に係わる指示を受信手段で受信し、前記受信手段で受信した２部目以降の出力に係わる指示に基づいて２部目以降の印刷物の出力に係わる指示を前記出力制御手段で行うことを特徴とする。
【発明の効果】
【００１６】
本発明によれば、複数部数の印刷依頼を受信した場合には、その１部目の印刷物に残り部数の出力を制御するための情報が埋め込まれたスタンプを付した印刷物の出力を行い、そのスタンプから読み取られた情報に基づいた指示により、残り部数の出力に係わる制御（再開、キャンセル）を行うようにしたため、印刷物に付されたスタンプを用いて残り部数の出力を再開若しくはキャンセルできるので、ジョブを意識することなく残り部数の出力に係わる指示を行えるとともに、煩雑な操作も発生しない。これにより、複数部数の印刷を的確かつ容易に行うことができる。
【発明を実施するための最良の形態】
【００１７】
以下、この発明に係わる印刷制御プログラムおよび印刷制御装置および印刷制御方法の実施形態について添付図面を参照して詳細に説明する。
【実施例】
【００１８】
図１は、本発明に係わる印刷システムの全体構成の一例を示す図である。
【００１９】
この印刷システムは、クライアント端末１０と、プリンタ２０と、プリントサーバ３０と、携帯電話５０とを具備して構成される。クライアント端末１０と、プリンタ２０と、プリントサーバ３０はそれぞれＬＡＮ４０を介して接続される。
【００２０】
なお、ここでは、それぞれの装置がＬＡＮ（Local Area Network）４０を介して接続される場合を説明するが、本発明の機能が実行されるのであれば、ＬＡＮ以外の形態で接続を行うように構成してもよい。
【００２１】
クライアント端末１０は、ユーザが扱うパーソナルコンピュータなどを示しており、ＬＡＮ４０上には複数台のクライアント端末１０が接続される。クライアント端末１０から印刷処理を行う場合には、必ずプリントサーバ３０を介してプリンタ２０で印刷出力することとなる。
【００２２】
また、クライアント端末１０からプリントサーバ３０に対して印刷依頼を行う際には、図２に示されるような印刷画面がクライアント端末１０のディスプレイに表示され、ユーザは、この印刷画面を操作して印刷依頼を行うこととなる。この印刷画面では、プリントサーバ３０への印刷依頼の他、プリンタの選択や、印刷部数の設定、印刷範囲の設定等の操作が行える。
【００２３】
クライアント端末１０から複数部数を指定した印刷依頼を行う場合には、同図に点線で囲まれた部数ボックスに所望の部数を設定し、さらに、部数ボックス直ぐ下に設けられたラジオボックス（排他選択）にて確認モードのオン／オフを選択する。
【００２４】
クライアント端末１０から確認モードをオンにして複数部数を指定した印刷依頼を行った場合には、プリントサーバ３０では、その１部目の出力のみをプリンタ２０に指示し、残りの２部目以降の出力を保留状態に制御する。したがって、ユーザはまず、出力された１部目の出力内容を確認し問題がなければ、２部目以降の出力を指示することができる。一方、確認モードをオフにして印刷依頼を行った場合には、従来通り指定された全ての部数の出力が１度に行われる。
【００２５】
図１に戻り、プリントサーバ３０は、クライアント端末１０から印刷依頼を受信して、当該依頼を印刷ジョブとして管理するとともに、当該依頼に基づいて印刷データ生成後、自装置が管理するプリンタ２０に印刷データを送信し、プリンタ２０に印刷処理を実行させる印刷制御装置である。
【００２６】
プリントサーバ３０は、クライアント端末１０から複数部数を指定した確認モードオンの印刷依頼を受信すると、その１部目の出力を行うための印刷データを生成する。この印刷データには、１部目の出力に必要な原稿内容の他、２部目以降の出力を再開若しくは、キャンセルするために必要な情報が埋め込まれたＱＲ（Quick Response）コードを印字するためのスタンプ情報が含まれる。
【００２７】
携帯電話５０は、１部目の印刷物に印字された再開用のスタンプ若しくは、キャンセル用のスタンプから、そのスタンプに埋め込まれた情報を読み取る。読み取られた情報は、ジョブの再開指示若しくは、ジョブのキャンセル指示として、公衆回線網およびＬＡＮ４０等を経てプリントサーバ３０へと送られる。
【００２８】
これを受信したプリントサーバ３０は、その受信した情報に基づいて２部目以降の出力の再開若しくはキャンセルをプリンタ２０へ指示することとなる。なお、本実施例においては、携帯電話５０を用いてスタンプから情報を読み取る場合を説明するが、携帯電話５０以外のものでスタンプから情報を読み取ってもよく、例えば、プリンタ２０にスタンプから情報を読み取るためのＱＲリーダを接続し、かかるリーダから情報を読み取り、その情報をプリンタ２０からプリントサーバ３０へ送るようにしてもよい。
【００２９】
プリンタ２０は、プリントサーバ３０から印刷データを受信して、当該データに基づいて印刷処理を行う印刷装置である。例えば、プリントサーバ３０から原稿内容と、ＱＲコードを印字するためのスタンプ情報とが含まれた印刷データを受信したならば、図３に示されるように、原稿内容とともに再開用のスタンプと、キャンセル用のスタンプとを印字した印刷物の出力を行う。
【００３０】
ＱＲコードには、印刷ジョブを識別するためのジョブＩＤと、プリントサーバ３０を識別するためのサーバＩＤと、再開若しくはキャンセルのいずれかを指示するための出力動作情報とを含む情報が埋め込まれる。携帯電話５０は、このＱＲコードからジョブＩＤとサーバＩＤと、出力動作情報とを読み取り、これらの情報に基づいてプリントサーバ３０に対してジョブの再開、ジョブのキャンセルを指示することとなる。なお、本実施例においては、スタンプをＱＲコードとして説明するが、バーコード等であってもよい。
【００３１】
ここで、図１を参照しながら、この印刷システムにおける印刷処理の一連の流れを説明する。なお、ここでは、１部目出力後、２部目以降の出力を再開する場合の処理の流れを示す。
【００３２】
まず、クライアント端末１０からプリントサーバ３０に対して、確認モードをオンに設定して印刷物を３部印刷するための印刷依頼を送信する（ステップＳ１）。プリントサーバ３０は、確認モードがオンであることを確認後、ＱＲコードがスタンプされた１部目の印刷物を出力するための印刷データを生成し、当該データをプリンタ２０に送信する（ステップＳ２）。
【００３３】
このデータを受信したプリンタ２０では、当該データに基づいてＱＲコードがスタンプされた印刷物の出力を行う（ステップＳ３）。このようにして１部目の印刷処理を行ったユーザは、その出力内容を確認し問題がなければ、当該印刷物にスタンプされた再開用のＱＲコードを携帯電話５０等を用いて読み取る（ステップＳ４）。
【００３４】
携帯電話５０を用いてＱＲコードを読み取ると、そのＱＲコードに埋め込まれた情報に基づいて携帯電話５０から公衆回線網およびＬＡＮ４０等を経てプリントサーバ３０に、２部目以降のジョブの再開が指示される（ステップＳ５）。
【００３５】
プリントサーバ３０は、この再開指示とともに、２部目以降の印刷データを生成し、当該データをプリンタ２０へと送信する（ステップＳ６）。このデータを受信したプリンタ２０では、１部目同様に、２部目、３部目の印刷処理を開始する（ステップＳ７）。
【００３６】
図４は、本発明に係わるプリントサーバ３０の機能的な構成を示すブロック図である。なお、ここでは、本発明に係わる構成要素のみを挙げて説明する。
【００３７】
プリントサーバ３０は、各種処理機能部として、印刷依頼受信部３１と、再開／キャンセル指示受信部３２と、制御部３３と、モード判定部３４と、印刷データ蓄積部３５と、出力制御部３６とを具備して構成される。
【００３８】
印刷依頼受信部３１は、クライアント端末１０から印刷依頼を受信する処理部であり、再開／キャンセル指示受信部３２は、２部目以降のジョブの再開若しくはキャンセル指示を受信する処理部であり、モード判定部３４は、印刷依頼受信部３１で受信した印刷依頼が確認モードオンの印刷依頼であるか否かを判定する処理部であり、印刷データ蓄積部３５は、制御部３３で生成された印刷データを一時的に蓄積する処理部であり、出力制御部３６は、生成された印刷データをプリンタ２０に送信し、プリンタ２０に対して当該データに基づく印刷を指示する処理部である。
【００３９】
制御部３３は、プリントサーバ３０を統括制御する処理部である。すなわち、プリントサーバ３０を構成する各種処理機能部は、この制御部３３からの指示に従って動作する。この制御部３３の主な処理としては、例えば、印刷依頼受信部３１で受信した印刷依頼を印刷ジョブとして管理するとともに、当該依頼の確認モードがオンであるならば、２部目以降のジョブを保留状態にし、２部目以降の出力を保留する。さらに、この制御部３３内部には、印刷データ生成部３３ａと、スタンプ情報生成部３３ｂとが備えられる。
【００４０】
印刷データ生成部３３ａは、クライアント端末１０から受信した印刷依頼に基づいて印刷データを生成する処理部である。具体的には、印刷依頼受信部３１でクライアント端末１０から受信した印刷依頼に基づいてイメージデータを作成し、それに出力部数を指定したデータを印刷データとして生成する。
【００４１】
スタンプ情報生成部３３ｂは、２部目以降の出力を再開若しくは、キャンセルするために必要な情報が埋め込まれたスタンプを印字するためのスタンプ情報を生成する処理部である。クライアント端末１０から確認モードがオンの印刷依頼を受信したならば、印刷データ生成部３３ａで生成された印刷データに、ここで生成されたスタンプ情報が付加される。
【００４２】
図５は、本発明に係わる印刷システムの動作を説明するフローチャートである。なお、ここでは、主にプリントサーバ３０で行われる動作について示し、クライアント端末１０から複数部数を指定した印刷依頼が行われるものとして説明する。
【００４３】
プリントサーバ３０は、クライアント端末１０から印刷依頼を受信するまで待機している（ステップＳ１０１でＮＯ）。この待機中に、クライアント端末１０から複数部数を指定した印刷依頼を印刷依頼受信部３１で受信すると（ステップＳ１０１でＹＥＳ）、この処理は開始される。
【００４４】
この処理が開始されると、プリントサーバ３０は、その受信した印刷依頼の確認モードがオンであるか否かをモード判定部３４で判定する。
【００４５】
この判定の結果、確認モードがオフであると判定された場合には、印刷データ生成部３３ａで当該依頼に基づいてイメージデータを作成するとともに（ステップＳ１０３）、ユーザにより指定された全ての出力部数を指定した印刷データを生成し（ステップＳ１０４）、かかる印刷データを出力制御部３６からプリンタ２０へ送信する（ステップＳ１０５）。この印刷データを受信したプリンタ２０では、当該データに基づいて従来通りの印刷処理を行い、この処理を終了する。
【００４６】
また、ステップＳ１０２の判定の結果、確認モードがオンであると判定された場合には、印刷データ生成部３３ａで当該依頼に基づいてイメージデータを作成するとともに（ステップＳ１０６）、出力部数に１部を指定した印刷データを生成する（ステップＳ１０７）。さらに、スタンプ情報生成部３３ｂで２部目以降の出力を再開、若しくはキャンセルするために必要な情報が埋め込まれたスタンプ情報を生成し、このスタンプ情報を印刷データに付加する（ステップＳ１０８）。
【００４７】
出力制御部３６は、このスタンプ付きの印刷データをプリンタ２０へ送信する（ステップＳ１０９）。この印刷データを受信したプリンタ２０では、当該データに基づいてＱＲコードがスタンプされた印刷物を１部出力する。
【００４８】
続いて、プリントサーバ２０は、ステップＳ１０６で作成したイメージデータと、残り部数とを印刷データ蓄積部３５に保存するとともに（ステップＳ１１０）、２部目以降のジョブの再開、若しくはキャンセルが指示されるまで待機する（ステップＳ１１１でＮＯの後、ステップＳ１１２でＮＯ）。
【００４９】
さて、プリンタ３０から１部目の出力が行われると、ユーザは出力内容を確認し、その内容に問題があるかないかを判断する。ここで問題があると判断した場合には、携帯電話５０を用いて印刷物に印字されたキャンセル用のスタンプから情報を読み取る。このようにして携帯電話５０でキャンセル用のスタンプから情報を読み取ると、携帯電話５０から公衆回線網およびＬＡＮ４０等を経てプリントサーバ３０に、ジョブのキャンセルが指示される（ステップＳ１１１でＮＯの後、ステップＳ１１２でＹＥＳ）。
【００５０】
プリントサーバ２０は、ジョブのキャンセル指示を再開／キャンセル指示受信部３２で受信すると、制御部３３により対応するジョブをキャンセルする（ステップＳ１１３）。このとき、印刷データ蓄積部３５に蓄積されたイメージデータも削除されることとなる。そして、この処理を終了する。
【００５１】
一方、ユーザが１部目の出力内容を確認し、その内容に問題がないと判断した場合には、携帯電話５０を用いて印刷物に印字された再開用のスタンプから情報を読み取る。このようにして携帯電話５０で再開用のスタンプから情報を読み取ると、携帯電話５０から公衆回線網およびＬＡＮ４０等を経てプリントサーバ３０に、ジョブの再開が指示される（ステップＳ１１１でＹＥＳ）。
【００５２】
プリントサーバ２０は、ジョブの再開指示を再開／キャンセル指示受信部３２で受信すると、制御部３３により対応するジョブの実行を再開する。具体的には、印刷データ蓄積部３５に蓄積されたイメージデータに残りの出力部数を指定した印刷データを生成し（ステップＳ１１４）、かかる印刷データを出力制御部３６からプリンタ２０へ送信する（ステップＳ１１５）。この印刷データを受信したプリンタ２０では、当該データに基づいて２部目以降の印刷処理を行い、この処理を終了する。
【００５３】
以上説明したように本発明においては、複数部数を指定した印刷依頼が行われた場合には、まず１部目の印刷処理を行い、その１部目の印刷物に２部目以降の出力を再開するための再開用のスタンプと、キャンセルするためのキャンセル用のスタンプとを印字する。そして、そのいずれかのスタンプから読み取られた情報により、２部目以降の出力に係わる（再開、キャンセル）制御を行うように構成したため、印刷物に付されたスタンプを用いて２部目以降の出力を再開若しくはキャンセルできるので、ジョブを意識することなく２部目以降の出力に係わる指示を行えるとともに、煩雑な操作も発生しない。これにより、複数部数の印刷を的確かつ容易に行うことができる。
【００５４】
なお、上記実施例においては、再開用のスタンプと、キャンセル用のスタンプとの両方が印刷物に印字される場合を説明したが、いずれか一方のスタンプのみが印字されるようにしてもよい。例えば、図６（ａ）に示すように、再開用のスタンプのみを印字するようにしてもよいし、図６（ｂ）に示すように、キャンセル用のスタンプのみを印字するようにしてもよい。プリントサーバ２０の動作設定を変更することで、いずれか一方、若しくは両方のスタンプを印字するように調整することができる。
【００５５】
また、図７（ａ）に示すように、１部目の出力とともに、同時にバナーシートを出力し、そのバナーシートに再開用のスタンプと、キャンセル用のスタンプとを印字するようにしてもよい。この場合にも上述した通り、図７（ｂ）に示すように、バナーシートに再開用のスタンプのみを印字するようにしてもよいし、図７（ｃ）に示すように、バナーシートにキャンセル用のスタンプのみを印字するようにしてもよい。
【００５６】
また、上記実施例においては、２部目以降の出力を行う場合には、１部目の出力に使用したイメージデータに対して残りの出力部数を指定した印刷データをプリンタ２０に送信し印刷処理を行う場合を説明したが、これに限られず、２部目以降のイメージデータを予め作成しておき、２部目以降のジョブの再開指示があった場合には、このイメージデータを印刷データとしてプリンタ２０へ送信し印刷処理を行うように構成してもかまわない。
【００５７】
また、上記実施例においては、プリンタ２０とプリントサーバ３０とが別々の装置である場合を説明したが、プリンタ２０にプリントサーバ３０の機能を組み込んで、本発明に係わる印刷制御処理を行うように構成してもよい。
【００５８】
また、上記実施例においては、本発明に係わる印刷システムにより本発明の印刷制御処理を行うように構成したが、この印刷制御方法をコンピュータにインストールされた印刷制御プログラムにより行うように構成してもよい。
【００５９】
この他、本発明は、上記および図面に示す実施例に限定することなく、その要旨を変更しない範囲内で適宜変形して実施できるものである。
【産業上の利用可能性】
【００６０】
本発明の印刷制御プログラムおよび印刷制御装置および印刷制御方法は、クライアント端末からの印刷依頼に基づいて印刷制御処理を行う印刷制御装置全般に適用可能であり、特に、複数部数の印刷が頻繁に行われるオフィス（企業、官公庁）、学校等において有効に利用することができる。
【図面の簡単な説明】
【００６１】
【図１】本発明に係わる印刷システムの全体構成の一例を示す図である。
【図２】クライアント端末１０のディスプレイに表示される印刷画面の一例を示す図である。
【図３】スタンプが印字された１部目の出力結果の一例を示す図である。
【図４】本発明に係わるプリントサーバ３０の機能的な構成を示すブロック図である。
【図５】本発明に係わる印刷システムの動作を説明するフローチャートである。
【図６】スタンプが印字された１部目の出力結果の変形例を示す図である。
【図７】スタンプがバナーシートに印字された出力結果の変形例を示す図である。
【符号の説明】
【００６２】
１０    クライアント端末
２０    プリンタ
３０    プリントサーバ
３１    印刷依頼受信部
３２    再開／キャンセル指示受信部
３３    制御部
３３ａ    印刷データ生成部
３３ｂ    スタンプ情報生成部
３４    モード判定部
３５    印刷データ蓄積部
３６    出力制御部
４０    ＬＡＮ（Local Area Network）
５０    携帯電話
【図１】
2006338128.tif 000003
【図２】
2006338128.tif 000004
【図３】
2006338128.tif 000005
【図４】
2006338128.tif 000006
【図５】
2006338128.tif 000007
【図６】
2006338128.tif 000008
【図７】
2006338128.tif 000009